(57)【要約】【課題】  記録モードや撮影モードに応じて容易にユーザの意図どおりの画像設定が可能となるようにする。【解決手段】  ＤＶＣ１００はＤＶ及びＨＤＶの両規格に対応しており、これらの記録モードを切替える機能と、各記録モードに対して任意に設定可能な画像設定用パラメータを内部メモリ１１１に保存する機能とを有し、記録モードの切替えに応じて、その切替えられた記録モード用に設定された画像設定用パラメータに変更する。【選択図】  図１
2006211025.tif 000002
【特許請求の範囲】
【請求項１】
複数の記録モードを切替える機能と、各記録モードに対して任意に設定可能な画像調整のための画像設定情報を設定する機能と、前記画像設定情報を記憶媒体に保存する機能とを有する撮像装置であって、
記録モードの切替えに応じて、その切替えられた記録モード用に設定された画像設定情報を前記記憶媒体から読み出して設定する画像設定情報の設定手段を備えたことを特徴とする撮像装置。
【請求項２】
複数の撮影モードを切替える機能と、各撮影モードに対して任意に設定可能な画像調整のための画像設定情報を設定する機能と、前記画像設定情報を記憶媒体に保存する機能とを有する撮像装置であって、
撮影モードの切替えに応じて、その切替えられた撮影モード用に設定された画像設定情報を前記記憶媒体から読み出して設定する画像設定情報の設定手段を備えたことを特徴とする撮像装置。
【請求項３】
静止画及び動画を撮影する機能と、静止画及び動画それぞれに対して任意に設定可能な画像調整のための画像設定情報を設定する機能と、前記画像設定情報を記憶媒体に保存する機能とを有する撮像装置であって、
静止画と動画の撮影の切替えに応じて、その切替えられた静止画又は動画用に設定された画像設定情報を前記記憶媒体から読み出して設定する画像設定情報の設定手段を備えたことを特徴とする撮像装置。
【請求項４】
複数の記録モードを切替える機能と、画像調整のための画像設定情報を設定する機能と、任意に設定可能な前記画像設定情報の補正用情報を記憶媒体に保存する機能とを有する撮像装置であって、
記録モードの切替えに応じて、前記記憶媒体から読み出された補正用情報を用いて、設定される画像設定情報を補正する画像設定情報補正手段を備えたことを特徴とする撮像装置。
【請求項５】
前記画像設定情報に含まれるパラメータを補正するための補正用情報を任意に生成或いは変更した後に保存する記憶手段を備えたことを特徴とする請求項４に記載の撮像装置。
【請求項６】
複数の記録モードを切替える機能と、各記録モードに対して任意に設定可能な画像調整のための画像設定情報を設定する機能と、前記画像設定情報を記憶媒体に保存する機能とを有する撮像装置の制御方法であって、
記録モードの切替えに応じて、その切替えられた記録モード用に設定された画像設定情報を前記記憶媒体から読み出して設定する手順を有することを特徴とする撮像装置の制御方法。
【請求項７】
複数の撮影モードを切替える機能と、各撮影モードに対して任意に設定可能な画像調整のための画像設定情報を設定する機能と、前記画像設定情報を記憶媒体に保存する機能とを有する撮像装置の制御方法であって、
撮影モードの切替えに応じて、その切替えられた撮影モード用に設定された画像設定情報を前記記憶媒体から読み出して設定する手順を有することを特徴とする撮像装置の制御方法。
【請求項８】
静止画及び動画を撮影する機能と、静止画及び動画それぞれに対して任意に設定可能な画像調整のための画像設定情報を設定する機能と、前記画像設定情報を記憶媒体に保存する機能とを有する撮像装置の制御方法であって、
静止画と動画の撮影の切替えに応じて、その切替えられた静止画又は動画用に設定された画像設定情報を前記記憶媒体から読み出して設定する手順を有することを特徴とする撮像装置の制御方法。
【請求項９】
複数の記録モードを切替える機能と、画像調整のための画像設定情報を設定する機能と、任意に設定可能な前記画像設定情報の補正用情報を記憶媒体に保存する機能とを有する撮像装置の制御方法であって、
記録モードの切替えに応じて、前記記憶媒体から読み出された補正用情報を用いて、設定される画像設定情報を補正する手順を有することを特徴とする撮像装置の制御方法。
【請求項１０】
複数の記録モードを切替える機能と、各記録モードに対して任意に設定可能な画像調整のための画像設定情報を設定する機能と、前記画像設定情報を記憶媒体に保存する機能とを有する撮像装置を制御するためのコンピュータプログラムであって、
記録モードの切替えに応じて、その切替えられた記録モード用に設定された画像設定情報を前記記憶媒体から読み出して設定する処理をコンピュータに実行させることを特徴とするコンピュータプログラム。
【請求項１１】
複数の撮影モードを切替える機能と、各撮影モードに対して任意に設定可能な画像調整のための画像設定情報を設定する機能と、前記画像設定情報を記憶媒体に保存する機能とを有する撮像装置を制御するためのコンピュータプログラムであって、
撮影モードの切替えに応じて、その切替えられた撮影モード用に設定された画像設定情報を前記記憶媒体から読み出して設定する処理をコンピュータに実行させることを特徴とするコンピュータプログラム。
【請求項１２】
静止画及び動画を撮影する機能と、静止画及び動画それぞれに対して任意に設定可能な画像調整のための画像設定情報を設定する機能と、前記画像設定情報を記憶媒体に保存する機能とを有する撮像装置を制御するためのコンピュータプログラムであって、
静止画と動画の撮影の切替えに応じて、その切替えられた静止画又は動画用に設定された画像設定情報を前記記憶媒体から読み出して設定する処理をコンピュータに実行させることを特徴とするコンピュータプログラム。
【請求項１３】
複数の記録モードを切替える機能と、画像調整のための画像設定情報を設定する機能と、任意に設定可能な前記画像設定情報の補正用情報を記憶媒体に保存する機能とを有する撮像装置を制御するためのコンピュータプログラムであって、
記録モードの切替えに応じて、前記記憶媒体から読み出された補正用情報を用いて、設定される画像設定情報を補正する処理をコンピュータに実行させることを特徴とするコンピュータプログラム。
【発明の詳細な説明】
【技術分野】
【０００１】
本発明は、複数の記録モードや撮影モードに応じて適切な画像設定を行うことのできる撮像装置、撮像装置の制御方法、及びコンピュータプログラムに関する。
【背景技術】
【０００２】
従来の撮像装置はＤＶ規格だけをサポートしており、単一の記録フォーマット（記録方式）に対する画像設定のみを考えればよかった。ところが、近年ではＨＤＶ規格と称されるMPEG2を利用した記録フォーマットが登場している。ＨＤＶ規格の対応機では、ＤＶ規格と同一のテープメディアを使用できることから、ＨＤＶ及びＤＶの両記録フォーマットをサポートしている。このように２つ以上の記録フォーマットをサポートしている機器においては、記録フォーマットごとに画像の調整を行うことが要求される。
【０００３】
ところで、撮像装置のハイエンド機では、撮影した画像要素であるパラメータ、例えば色相、ガンマ、スキンディティール等をユーザが変更することが可能であり、変更されたパラメータをまとめて一つのファイル（以下「カスタムプリセットファイル」と称する）として保存することが可能である。
【０００４】
図７に、カスタムプリセットファイルのパラメータの例を示す。カスタムプリセットファイルは複数持つことが可能であり、ユーザは予め各カスタムプリセットファイルの各パラメータを変更して、所望の画像が得られるように調整して保存しておくことができる。保存された複数のカスタムプリセットファイルのうちユーザによって選択され、設定されたカスタムプリセットファイルが撮影する際に有効となる（図８を参照）。
【０００５】
また、撮像装置では、シャッター優先、露出優先、人物撮影、風景撮影、プログラムモード等の複数の撮影モードが用意されている。ユーザは撮影状況に応じて所望の撮影モードを選択して撮影することが可能であるが、どのモードを使用しても予め設定されたカスタムプリセットの値が反映される。
【０００６】
その他、撮影対象や撮影場所に応じて、予め用意されている撮影モードのうち最適なものを自動設定して、実際の撮影を行う撮像装置が特許文献１に開示されている。
【０００７】
【特許文献１】特開２００３−２４４５２２号公報
【発明の開示】
【発明が解決しようとする課題】
【０００８】
従来のカスタムプリセットファイルは記録フォーマットや撮影モードに依存せず、設定したカスタムプリセットファイルを使用するだけの方式をとっている。しかしながら、ＤＶ規格とＨＤＶ規格では画像フォーマットや記録フォーマットが異なるため、同じように設定したカスタムプリセットファイルのパラメータであっても、異なる画像になってしまう。これらを補正するために、装置本体内部で補正をかける方法もあるが、カスタムプリセットファイルのパラメータのような微妙な画質調整を機械任せにしたくない場合が多々ある。
【０００９】
撮影モードにおいても同様に、例えば同じ撮影場所でも風景撮影の場合と人物撮影の場合とで異なるパラメータに設定したい場合も想定される。
【００１０】
したがって、記録フォーマットや撮影モードに応じてカスタムプリセットファイルのパラメータの設定を実現する必要がある。
【００１１】
本発明は上記のような点に鑑みてなされたものであり、記録フォーマットや撮影モードに応じて容易にユーザの意図どおりの画像設定が可能となるようにすることを目的とする。
【課題を解決するための手段】
【００１２】
上記課題を解決するための手段として、撮像装置について述べると、本発明による撮像装置は、複数の記録モードを切替える機能と、各記録モードに対して任意に設定可能な画像調整のための画像設定情報を設定する機能と、前記画像設定情報を記憶媒体に保存する機能とを有する撮像装置であって、記録モードの切替えに応じて、その切替えられた記録モード用に設定された画像設定情報を前記記憶媒体から読み出して設定する画像設定情報の設定手段を備えたことを特徴とする。
本発明による他の撮像装置は、複数の撮影モードを切替える機能と、各撮影モードに対して任意に設定可能な画像調整のための画像設定情報を設定する機能と、前記画像設定情報を記憶媒体に保存する機能とを有する撮像装置であって、撮影モードの切替えに応じて、その切替えられた撮影モード用に設定された画像設定情報を前記記憶媒体から読み出して設定する画像設定情報の設定手段を備えたことを特徴とする。
本発明による他の撮像装置は、静止画及び動画を撮影する機能と、静止画及び動画それぞれに対して任意に設定可能な画像調整のための画像設定情報を設定する機能と、前記画像設定情報を記憶媒体に保存する機能とを有する撮像装置であって、静止画と動画の撮影の切替えに応じて、その切替えられた静止画又は動画用に設定された画像設定情報を前記記憶媒体から読み出して設定する画像設定情報の設定手段を備えたことを特徴とする。
本発明による他の撮像装置は、複数の記録モードを切替える機能と、画像調整のための画像設定情報を設定する機能と、任意に設定可能な前記画像設定情報の補正用情報を記憶媒体に保存する機能とを有する撮像装置であって、記録モードの切替えに応じて、前記記憶媒体から読み出された補正用情報を用いて、設定される画像設定情報を補正する画像設定情報補正手段を備えたことを特徴とする。
【発明の効果】
【００１３】
本発明によれば、記録モードや撮影モードを切替えたときに、容易にユーザの意図どおりの画像設定に変更することができる。
【発明を実施するための最良の形態】
【００１４】
以下、添付図面を参照して、本発明の好適な実施形態について説明する。
（第１の実施形態）
図１に、本発明を適用したデジタルビデオカメラ（以下「ＤＶＣ」と称する）１００の概略構成を示す。記録時において、撮像制御部１０１は、撮像部１０８を制御することで被写体の映像や静止画の撮影を行い、撮像部１０８より取り込まれた映像や静止画のデータは、画像処理部１０５によって然るべき画像フォーマット（ＤＶ又はＭＰＥＧ）に従って圧縮され、圧縮されたデータは記録制御部１０４によって着脱可能な記録部（カセットテープ等）１０９に転送され記録される。
【００１５】
一方、再生時において、着脱可能な記録部１０９に記録された映像や静止画のデータは、再生制御部１０３によって読み出され、画像処理部１０５によって然るべき画像フォーマットに従って伸張され、伸張されたデータで示される画像情報は表示部１１０に転送されて、表示される。
【００１６】
また、デジタルインターフェース１０７に外部機器が接続されている場合には、ＤＩＦ制御部１０６の制御のもと画像処理部１０５で圧縮された映像や静止画のデータがデジタルインターフェース１０７を介して出力される。デジタルインターフェース１０７はＵＳＢ-ＩＦやＩＥＥＥ１３９４が利用される。
【００１７】
各部は、データ/アドレスバス１１２を介して接続され、データ転送はこのバス１１２を介して行われる。各制御部に対する制御をメイン制御部１０２が行う。
【００１８】
本実施形態におけるＤＶＣ１００はＤＶ及びＨＤＶの両規格に対応しており、これらを切替えることにより、いずれの方式においても映像を撮影し記録することが可能である。なお、ＤＶＣ１００の撮影動作が、ＤＶ規格に従うモード（以下、ＤＶ記録モードと称す）ではＳＤ解像度のＤＶ画像データを、ＨＤＶ規格に従うモード（以下、ＨＤＶ記録モードと称す）ではＨＤ解像度のＭＰＥＧ画像データを、それぞれ同一の記録部１０９に記録可能となる。メニュー又は装置本体に存在するボタンの操作によって、メイン制御部１０２にＤＶ記録モードとＨＤＶ記録モードの切替え命令が送られる。命令を受信したメイン制御部１０２は、撮像制御部１０１、再生制御部１０３、記録制御部１０４、画像処理部１０５に対してＤＶとＨＤＶの切替えを通知し、通知を受けた各制御部においてモード切替えに従って然るべき処理を行う。
【００１９】
また、本実施形態におけるＤＶＣ１００は、色相、ガンマ等の画像設定用パラメータを変更することが可能である。これらの画像設定用パラメータ（画像設定情報）は、カスタムプリセットファイルと称されるファイルにして、複数のパラメータをまとめて設定するための形態にして保存することが可能である。故に、カスタムプリセットファイルを設定或いは変更することにより、設定或いは変更後のカスタムプリセットファイルに記述された複数の画像設定用パラメータが有効化される。カスタムプリセットファイルはＤＶ記録モード用及びＨＤＶ記録モード用の両方にそれぞれ用意されており、内部メモリ１１１に保存することが可能である。撮影中に新たにカスタムプリセットファイルの設定を行う時には、この内部メモリ１１１から現在有効となっている記録モードに対応するカスタムプリセットファイルが画像処理部１０５及び撮像制御部１０１によって読み込まれて設定される。カスタムプリセットファイルが設定済であって、撮影のための起動を開始するときも同様な動作である。また、カスタムプリセットが設定済であって、かつ、撮影の途中で記録モードが切り替わった場合には、切り替わった記録モードに対応するカスタムプリセットファイルが画像処理部１０５及び撮像制御部１０１によって読み込まれて、新たな設定に変更される。いずれの場合も、カスタムプリセットファイル並びにそこに記述された各種画像設定情報を取得した画像処理部１０５及び撮像制御部１０１は、画像設定情報に応じて適切な画像処理を行い、映像や静止画のデータを生成する。
【００２０】
次に、図２を参照して、本実施形態のＤＶＣ１００での処理動作について説明する。まず、ユーザによりカスタムプリセットファイルの画像設定用パラメータを使用する設定が行われる（ステップＳ２００）。
【００２１】
例えばＤＶ記録モードで撮影を行っているときには、撮像部１０８はＳＤ解像度の画像を撮像しているので、ＳＤ撮像画像及びそれをＤＶ圧縮した画像に適した画像設定用パラメータが設定される（ステップＳ２０１）。ユーザによりＤＶ記録モードからＨＤＶ記録モードへ切替えられた場合（ステップＳ２０２）、ＤＶからＨＤＶへの切替え命令を受信したメイン制御部１０２は、撮像制御部１０１、再生制御部１０３、記録制御部１０４、画像処理部１０５に対してＤＶからＨＤＶへ記録モード切替えを通知する。
【００２２】
通知を受けた撮像制御部１０１と画像処理部１０５は、内部メモリ１１１からＨＤＶ用のカスタムプリセットファイルを取得して、ＨＤＶ記録モード用の画像設定情報に変更する（ステップＳ２０３）。なお、ＨＤＶからＤＶに記録モードが切り替わる場合も、同様に説明できる。このように、撮影中にＤＶ及びＨＤＶの記録モードが切り替わった場合にも、記録モードの切り替わりに伴う画像設定の変更をユーザが意識することなく、自動で最適の画像設定に変更することができる。
【００２３】
（第２の実施形態）
本実施形態におけるＤＶＣ１００は、第１の実施形態のＤＶＣ１００と同様の機能を有し、さらに複数の撮影モードを持っており、ユーザが複数の撮影モードに切替えることが可能である。複数の撮影モードとは、例えば人物を撮影するための撮影モードである人物撮影モード、風景を撮影するための撮影モードである風景撮影モード、シャッター優先にして撮影するための撮影モードであるシャッター優先モード、露出優先にして撮影するための撮影モードである露出優先モード、全てマニュアルで撮影するマニュアルモード等である。なお、ＤＶＣ１００の構成は図１に示したものと同様であり、ここではその説明を省略する。
【００２４】
本実施形態のＤＶＣ１００では、上記撮影モードのそれぞれにとって最適な複数の画像設定用パラメータ（画像設定情報）をまとめたカスタムプリセットファイルが、上記撮影モード毎に用意されており、内部メモリ１１１に保存することが可能である。撮影中に新たにカスタムプリセットファイルの設定を行う時には、この内部メモリ１１１から現在有効となっている撮影モードに対応するカスタムプリセットファイルが画像処理部１０５及び撮像制御部１０１によって読み込まれて設定される。カスタムプリセットファイルが設定済であって、撮影のための起動を開始するときも同様な動作である。また、カスタムプリセットが設定済であって、かつ、撮影の途中で撮影モードが切り替わった場合には、切り替わった撮影モードに対応するカスタムプリセットファイルが画像処理部１０５及び撮像制御部１０１によって読み込まれて、新たな設定に変更される。いずれの場合も、カスタムプリセットファイル並びにそこに記述された各種画像設定情報を取得した画像処理部１０５及び撮像制御部１０１は、画像設定情報に応じて適切な画像処理を行い、映像や静止画のデータを生成する。
【００２５】
次に、図３を参照して、本実施形態のＤＶＣ１００での処理動作について説明する。まず、ユーザによりカスタムプリセットファイルの画像設定用パラメータを使用する設定が行われる（ステップＳ３００）。
【００２６】
例えば風景撮影モードで撮影を行っている（風景撮影モードに応じたカスタムプリセットファイルが選択され、それに記述される画像設定用パラメータが設定されている）状態で（ステップＳ３０１）、ユーザにより風景撮影モードから人物撮影モードへ切替えられた場合（ステップＳ３０２）、風景撮影モードから人物撮影モードへの切替え命令を受信したメイン制御部１０２は、撮像制御部１０１、再生制御部１０３、記録制御部１０４、画像処理部１０５に対して風景撮影モードから人物撮影モードへ切替えを通知する。
【００２７】
通知を受けた撮像制御部１０１と画像処理部１０５は、内部メモリ１１１から人物撮影モード用のカスタムプリセットファイルを取得して、人物撮影モード用の画像設定情報に変更する（ステップＳ３０３）。なお、その他の撮影モードに切り替わる場合も、同様に説明できる。このように、撮影中に撮影モードが切り替わった場合にも、撮影モードの切り替わりに伴う画像設定の変更をユーザが意識することなく、自動で最適の画像設定に変更することができる。
【００２８】
（第３の実施形態）
本実施形態におけるＤＶＣ１００は、第１の実施形態のＤＶＣ１００と同様の機能を有し、さらに静止画及び動画の両方を撮影して記録することが可能である。なお、ＤＶＣ１００の構成は図１に示したものと同様であり、ここではその説明を省略する。
【００２９】
本実施例におけるＤＶＣ１００では、動画撮影と静止画撮影のそれぞれにとって最適な複数の画像設定用パラメータ（画像設定情報）をまとめたカスタムプリセットファイルが、静止画撮影用及び動画撮影用としてそれぞれ用意されており、内部メモリ１１１に保存することが可能である。撮影中に新たにカスタムプリセットファイルの設定を行う時には、この内部メモリ１１１から撮影モード（動画撮影又は静止画撮影）に対応するカスタムプリセットファイルが画像処理部１０５及び撮像制御部１０１によって読み込まれて設定される。カスタムプリセットファイルが設定済であって、撮影のための起動を開始するときも同様な動作である。また、カスタムプリセットが設定済であって、かつ、撮影の途中で撮影モード（動画撮影又は静止画撮影）が切り替わった場合には、切り替わった撮影モードに対応するカスタムプリセットファイルが画像処理部１０５及び撮像制御部１０１によって読み込まれて、新たな設定に変更される。いずれの場合も、カスタムプリセットファイル並びにそこに記述された各種画像設定情報を取得した画像処理部１０５及び撮像制御部１０１は、画像設定情報に応じて適切な画像処理を行い、映像や静止画のデータを生成する。
【００３０】
次に、図４を参照して、本実施形態のＤＶＣ１００での処理動作について説明する。まず、ユーザによりカスタムプリセットファイルの画像設定用パラメータを使用する設定が行われる（ステップＳ４００）。
【００３１】
例えば動画撮影モードで撮影を行っている（動画撮影モードに応じたカスタムプリセットファイルが選択され、それに記述される画像設定用パラメータが設定されている）状態で（ステップＳ４０１）、ユーザにより動画撮影モードから静止画撮影モードへ切替えられた場合（ステップＳ４０２）、動画撮影モードから静止画撮影モードへの切替え命令を受信したメイン制御部１０２は、撮像制御部１０１、再生制御部１０３、記録制御部１０４、画像処理部１０５に対して動画撮影モードから静止画撮影モードへ切替えを通知する。
【００３２】
通知を受けた撮像制御部１０１と画像処理部１０５は、内部メモリ１１１から静止画撮影モード用のカスタムプリセットファイルを取得して、静止画撮影モード用の画像設定情報に変更する（ステップＳ４０３）。なお、静止画撮影モードから動画撮影モードへ切り替わる場合も、同様に説明できる。このように、撮影中に動画撮影と静止画撮影が切り替わった場合にも、動画と静止画の切り替わりに伴う画像設定の変更をユーザが意識することなく、自動で最適の画像設定に変更することができる。
【００３３】
（第４の実施形態）
本実施形態におけるＤＶＣ１００は、第１の実施形態のＤＶＣ１００と同様にＤＶ及びＨＤＶの両記録モードに対応しており、これらを切替えることにより、いずれの方式においても映像を撮影することが可能であり、その切替えの際にカスタムプリセットファイルの画像設定用パラメータを補正するための補正用パラメータが用意された例である。
【００３４】
本実施形態のＤＶＣ１００では、記録モードによらず共通に使用可能である画像設定用パラメータ（画像設定情報）をまとめたカスタムプリセットファイルと、ＤＶ記録モードとＨＤＶ記録モードの切替えの際にカスタムプリセットファイルの画像設定用パラメータを補正するための補正用パラメータ（ＨＤＶ記録モード用、ＤＶ記録モード用）が用意されており、内部メモリ１１１に保存することが可能である。補正用パラメータは、ユーザが任意に作成したり、既存のものを変更したりして保存することができるものである。撮影中に新たにカスタムプリセットファイルの設定を行う時には、内部メモリ１１１からカスタムプリセットファイルが画像処理部１０５及び撮像制御部１０１によって読み込まれて設定される。さらに、その時点で有効となっている記録モードに対応する補正用パラメータが画像処理部１０５及び撮像制御部１０１によって読み込まれて設定される。撮影のための起動を開始するときも同様な動作である。また、撮影の途中で記録モードが切り替わった場合には、切り替わった記録モードに対応する補正用パラメータが画像処理部１０５及び撮像制御部１０１によって読み込まれて、新たな設定に変更される。いずれの場合も、カスタムプリセットファイル並びにそこに記述された各種画像設定情報及び補正用パラメータを取得した画像処理部１０５及び撮像制御部１０１は、補正用パラメータに従って各画像設定用パラメータを補正した上で適切な画像処理を行い、映像や静止画のデータを生成する。
【００３５】
次に、図５を参照して、本実施形態のＤＶＣ１００での処理動作について説明する。まず、ユーザによりカスタムプリセットファイルの画像設定用パラメータと補正用パラメータとを使用する設定が行われる（ステップＳ５００）。
【００３６】
例えば設定された画像設定用パラメータとＤＶ用の補正用パラメータに基づいてＤＶ記録モードで撮影を行っている状態で（ステップＳ５０１）、ユーザによりＤＶからＨＤＶへ記録モードが切替えられた場合（ステップＳ５０２）、ＤＶからＨＤＶへの切替え命令を受信したメイン制御部１０２は、撮像制御部１０１、再生制御部１０３、記録制御部１０４、画像処理部１０５に対してＤＶからＨＤＶへの記録モード切替えを通知する。
【００３７】
通知を受けた撮像制御部１０１と画像処理部１０５は、内部メモリ１１１からＨＤＶ用の補正用パラメータを取得する。図６に、補正用パラメータの一例を示す。補正用パラメータを取得したならば、各画像設定用パラメータを該補正用パラメータに従って補正する（ステップＳ５０３）。例えば設定されていたガンマ値が４であり、補正値が＋３である場合には、補正後のガンマ値は４＋３＝７となる。こうして、補正後の画像設定情報をＨＤＶ記録モード用の画像設定情報に変更する（ステップＳ５０４）。このように、撮影中にＤＶ及びＨＤＶの記録モードが切り替わった場合にも、記録モードの切り替わりに伴う画像設定の変更をユーザが意識することなく、補正用パラメータのみを用いて簡単に、自動で最適の画像設定に変更することができる。
【００３８】
なお、第４の実施形態では、ＤＶ記録モードに適したカスタムプリセットファイルの画像設定用パラメータの設定が行われており、ＨＤＶ記録モードへの切替えに際して、その画像設定用パラメータを補正用パラメータに従って補正する例を説明したが、その逆であってもかまわない。
【００３９】
なお、本発明の目的は、上述した実施形態の機能を実現するソフトウェアのプログラムコードを記録した記憶媒体を、システム或いは装置に供給し、そのシステム或いは装置のコンピュータ（又はＣＰＵやＭＰＵ）が記憶媒体に格納されたプログラムコードを読み出し実行することによっても、達成されることは言うまでもない。
【００４０】
この場合、記憶媒体から読み出されたプログラムコード自体が上述した実施形態の機能を実現することになり、プログラムコード自体及びそのプログラムコードを記憶した記憶媒体は本発明を構成することになる。
【００４１】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００４２】
また、コンピュータが読み出したプログラムコードを実行することにより、上述した実施形態の機能が実現されるだけでなく、そのプログラムコードの指示に基づき、コンピュータ上で稼動しているＯＳ（基本システム或いはオペレーティングシステム）等が実際の処理の一部又は全部を行い、その処理によって上述した実施形態の機能が実現される場合も含まれることは言うまでもない。
【００４３】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される場合も含まれることは言うまでもない。
【図面の簡単な説明】
【００４４】
【図１】本発明を適用したデジタルビデオカメラの概略構成を示す図である。
【図２】第１の実施形態のＤＶＣでの処理動作について説明するためのフローチャートである。
【図３】第２の実施形態のＤＶＣでの処理動作について説明するためのフローチャートである。
【図４】第３の実施形態のＤＶＣでの処理動作について説明するためのフローチャートである。
【図５】第４の実施形態のＤＶＣでの処理動作について説明するためのフローチャートである。
【図６】補正用パラメータの一例を示す図である。
【図７】カスタムプリセットファイルのパラメータの例を示す図である。
【図８】複数のカスタムプリセットファイルを持つ場合のメニュー表示の一例を示す図である。
【符号の説明】
【００４５】
１００    デジタルビデオカメラ
１０１    撮像制御部
１０２    メイン制御部
１０３    再生制御部
１０４    記録制御部
１０５    画像処理部
１０６    ＤＩＦ制御部
１０７    デジタルインターフェース
１０８    撮像部
１０９    着脱可能記録部
１１０    表示部
１１１    内部メモリ
【図１】
2006211025.tif 000003
【図２】
2006211025.tif 000004
【図３】
2006211025.tif 000005
【図４】
2006211025.tif 000006
【図５】
2006211025.tif 000007
【図６】
2006211025.tif 000008
【図７】
2006211025.tif 000009
【図８】
2006211025.tif 000010